(57)【要約】【課題】発光部と非発光部の輝度の差が急峻で、見切り性の良い、良好な輝度分布を有する発光装置を提供することを目的とする。【解決手段】整列した複数の発光素子１１と、発光素子１１の側面を被覆する光反射性部材１２と、光反射性部材１２間に配置される遮光性部材１３とを備える発光装置。【選択図】図１Ａ
2014236175.tif 000002
【特許請求の範囲】
【請求項１】
整列した複数の発光素子と、
該発光素子の側面を被覆する光反射性部材と、
前記発光素子間の前記光反射性部材間に配置される遮光性部材と、を備える発光装置。
【請求項２】
さらに、前記発光素子の上面を被覆する透光性部材を備え、前記光反射性部材が前記透光性部材の側面を被覆する請求項１に記載の発光装置。
【請求項３】
前記透光性部材の側面を被覆する前記発光素子間の前記光反射性部材間に、前記遮光性部材が配置されている請求項２に記載の発光装置。
【請求項４】
前記発光素子は、基材上に接合され、前記基材と発光素子との間に埋設部材が埋設されている請求項１〜３のいずれか１つに記載の発光装置。
【請求項５】
前記埋設部材は、光反射性樹脂によって形成されている請求項４に記載の発光装置。
【請求項６】
前記上面側における前記透光性部材、光反射性部材及び遮光性部材が略面一である請求項２〜５のいずれか１つに記載の発光装置。
【請求項７】
前記複数の発光素子が、独立して駆動される請求項１〜６のいずれか１つに記載の発光装置。
【発明の詳細な説明】
【技術分野】
【０００１】
本発明は、複数の発光素子を備えた発光装置に関する。
【背景技術】
【０００２】
近年、半導体発光素子は、蛍光灯に代わる照明用の光源のみならず、車両のヘッドライトなどの投光器、投光照明等の良好な指向性及び高い輝度を有する光源として利用されている。
このような用途に用いられる発光装置は、例えば、特許文献１に提案されている。
この発光装置は、複数の発光素子の側面が反射性部材で被覆され、互いに近接して一列に配列されている。
【先行技術文献】
【特許文献】
【０００３】
【特許文献１】特開２０１２−９９５４５号公報
【発明の概要】
【発明が解決しようとする課題】
【０００４】
しかし、発光装置の開発のなかで、特に、複数の発光素子を備えた発光装置において、発光状態の素子と非発光状態の素子との輝度の差が明確で、見切り性の良い発光装置が求められている。
【０００５】
本発明は上記課題に鑑みなされたものであり、発光部と非発光部の輝度の差が明確で、見切り性の良い、良好な輝度分布を有する発光装置を提供することを目的とする。
【課題を解決するための手段】
【０００６】
本発明の発光装置は、
整列した複数の発光素子と、
該発光素子の側面を被覆する光反射性部材と、
前記発光素子間の前記光反射性部材間に配置される遮光性部材とを備える。
【発明の効果】
【０００７】
本発明の発光装置は、発光部と非発光部の輝度の差が明確で、見切り性の良い、良好な輝度分布を有する発光装置を提供することができる。
【図面の簡単な説明】
【０００８】
【図１Ａ】本発明の実施形態１の発光装置を示す概略平面図である。
【図１Ｂ】図１ＡのＡ−Ａ’線断面図である。
【図２Ａ】本発明の実施形態１の発光装置の製造工程を示す概略平面図である。
【図２Ｂ】図２ＡのＡ−Ａ’線断面図である。
【図３】本発明の実施形態１の発光装置の製造工程を示す概略平面図である。
【図４Ａ】本発明の実施形態１の発光装置の製造工程を示す概略平面図である。
【図４Ｂ】図４ＡのＡ−Ａ’線断面図である。
【図５】本発明の実施形態１の発光装置の評価方法を説明するための概略平面図である。
【図６】本発明の実施形態２の発光装置を示す概略断面図である。
【図７】本発明の実施形態３の発光装置を示す概略断面図である。
【図８】本発明の実施形態４の発光装置を示す概略断面図である。
【図９】本発明の実施形態５の発光装置を示す概略断面図である。
【発明を実施するための形態】
【０００９】
本願においては、各図面が示す部材の大きさや位置関係等は、説明を明確にするため誇張していることがある。以下の説明において、同一の名称、符号については同一又は同質の部材を示しており、詳細説明を適宜省略する。一実施例及び一実施形態において説明された内容は、他の実施例及び他の実施形態等に利用可能である。
本件明細書において、「上」、「下」という用語は、発光装置の発光を取り出す側とその逆側を指す用語としても用いる。例えば「上面」とは発光装置の発光を取り出す側にある面を指し、「下面」とはその逆側の面を指す。
【００１０】
図１Ａ及び図１Ｂに示すように、本実施形態の発光装置１０は、複数の発光素子１１と、発光素子１１の側面を被覆する光反射性部材１２と、発光素子間の光反射性部材１２間に配置される遮光性部材１３とを備える。
【００１１】
（発光素子１１）
発光素子１は、通常、発光ダイオードが用いられる。
発光素子は、その組成、発光色又は波長、大きさ、個数等、目的に応じて適宜選択することができる。例えば、青色、緑色の発光素子としては、ＺｎＳｅ、窒化物系半導体（ＩｎＸＡｌＹＧａ１−Ｘ−ＹＮ、０≦Ｘ、０≦Ｙ、Ｘ＋Ｙ≦１）、ＧａＰなどの半導体層を用いたもの、赤色の発光素子としては、ＧａＡｌＡｓ、ＡｌＩｎＧａＰなどの半導体層を用いたものが挙げられる。
【００１２】
発光素子は、通常、成長用基板（例えば、サファイア基板）上に、半導体層を積層させて形成される。基板は半導体層との接合面に凹凸を有していてもよい。これにより半導体層から出射された光が基板に当たるときの臨界角を意図的に変えることができ、基板の外部に光を容易に取り出すことができる。
発光素子は、成長用基板が半導体層の積層後に除去されていてもよい。除去は、例えば、研磨、ＬＬＯ（Laser Lift Off）等で行うことができる。また、成長用基板を除去する場合は、半導体層に実装用の支持基板を備えることもできる。
【００１３】
発光素子は、同一面側に正負一対の電極を有するものが好ましい。これにより、発光素子を実装基板にフリップチップ実装することができる。この場合、一対の電極が形成された面と対向する面が光取り出し面となる。フリップチップ実装は、半田等の導電性を有するペースト状の接合部材、薄膜状の接合部材又はバンプ状の接合部材を用いて、発光素子と基材上の配線パターンとが電気的に接続されている。
あるいは、フェイスアップ実装する場合には、一対の電極が形成された面を光取り出し面としてもよい。
【００１４】
発光素子は、同一面側に正負一対の電極を有するものが好ましいが、異なる側に正負一対の電極を有するものであってもよい。正負一対の電極が反対の面に各々設けられている対向電極構造の発光素子の場合、下面電極が導電性部材で基材に固定され、上面電極が導電性ワイヤ等で基材と接続される。
【００１５】
発光素子は、１つの発光装置において複数含まれている。複数の発光素子は、整列されており、例えば、一列に整列されてもよいが、行列状に整列されていてもよい。発光素子の数は、得ようとする発光装置の特性、サイズ等に応じて適宜設定することができる。
【００１６】
なお、整列する複数の発光素子は、互いに近接していることが好ましく、車両用途、さらに輝度分布等を考慮すると、発光素子間距離は、発光素子自体のサイズ（例えば一辺の長さ）よりも短いものが好ましく、例えば、発光素子自体のサイズの３０％程度以下がより好ましく、２０％以下がさらに好ましい。このように発光素子同士を近接して配置させることにより、発光ムラの少ない発光品位の高い面光源の発光装置とすることができる。
【００１７】
（光反射性部材１２）
光反射性部材１２は、図１Ａ及び図１Ｂに示すように、発光素子１１の側面を被覆する。ここでの発光素子１１の側面とは、少なくとも半導体層の側面の厚み方向の一部、好ましくは半導体層の厚み方向の全部及び／又は半導体層の側面の外周における一部、好ましくは半導体層の外周における全側面を指す。また、ここでの被覆とは、半導体層との間に別の層が介在していてもよいが、半導体層と接触していることが好ましい。なかでも、複数含まれる発光素子の全ての外周側面が光反射性部材で被覆されていることがより好ましい。これにより、発光素子と光反射性部材との界面で、発光素子から出射される光が発光素子内に反射されるため、隣接する発光素子に光が吸収されることなく、発光素子の上面から透光性部材の上面または外部へと出射される。
【００１８】
ここでの別の層とは、例えば、後述する接着剤又は埋設部材が挙げられる。接着剤は、発光素子の上面に、発光素子上面を被覆する透光性部材をさらに備える場合に用いられる。特に、発光素子より大きい透光性部材を備える場合、発光素子からの光が透光性部材に伝播されやすいよう、接着剤を発光素子側面にまで配置することがある。半導体層と光反射性部材との間に接着剤が介在する場合には、接着剤は透光性部材の直下からはみ出さないように配置されることが好ましい。また、埋設部材が介在する場合、埋設部材は光反射性樹脂であることが好ましい。埋設部材が光反射性樹脂である場合、その介在厚さは特に限定されないが、上述した光反射性部材１２の発光素子１１の側面の被覆を考慮すると、半導体層の側面の厚み方向の一部にのみ介在しており、少なくとも発光素子の発光層よりも上面側を露出するか、発光層及びそれよりも上面側を露出するように介在していることが好ましい。
発光素子と光反射性樹脂との間に別の層が介在する場合、別の層は、発光装置の発光面側に露出しないように配置されることが好ましい。別の層が発光面側に露出すると、発光素子と光反射性部材との間で光が反射／伝播し色むらが生じるおそれがある。
【００１９】
発光素子間に配置される光反射性部材は、発光素子の上面（光取り出し面）と面一又は略面一とすることができる。ここで略面一とは、光反射性部材の厚みの±１０％程度、好ましくは±５％程度の高低差が許容されることを意味する（本明細書において同じ意味）。
あるいは、後述するように、発光素子の上面に、この面を被覆する透光性部材をさらに備える場合には、光反射性部材は透光性部材と面一又は略面一であることが好ましい。
【００２０】
特に、後述するように、発光素子間の光反射性部材間に遮光性部材が配置される部位において、発光素子の側面を被覆する光反射性部材の遮光性部材までの厚み（幅）は、１０〜１００μｍ程度が好ましく、５０〜１００μｍ程度がより好ましい。このような厚みに設定することにより、光漏れを最小限に止め、効率的な光反射を実現しながら、隣接する発光素子間の距離を近接させて、良好な輝度分布を確保することができる。
【００２１】
光反射性部材は、発光素子から出射される光を反射することができる材料から形成される。これによって、発光素子と光反射性部材との界面で、発光素子から出射される光を発光素子内に反射させる。その結果、発光素子内で光が伝播し、最終的に発光素子の上面から透光性部材の上面、外部へと出射される。
【００２２】
光反射性部材は、シリコーン樹脂、変性シリコーン樹脂、エポキシ樹脂、変性エポキシ樹脂、アクリル樹脂の１種以上を含む樹脂又はハイブリッド樹脂等と、反射性物質とを用いて形成することができる。反射性物質としては、酸化チタン、酸化ケイ素、酸化ジルコニウム、チタン酸カリウム、アルミナ、窒化アルミニウム、窒化ホウ素、ムライトなどが挙げられる。
反射性物質等の含有量は、光反射性部材の光の反射量及び透過量等を変動させることができるため、得ようとする発光装置の特性等によって適宜調整することができる。例えば、反射性物質の含有量を３０ｗｔ％以上とすることが好ましい。
【００２３】
光反射性部材は、反射性に加え、放熱性を有する材料を用いてもよい。光反射性部材の熱伝導率は０．２Ｗ／ｍ・Ｋ以上が好ましく、１Ｗ／ｍ・Ｋ以上がより好ましい。熱伝導率を高く設定することにより放熱性を向上させることができる。このような材料としては、熱伝導率の高い窒化アルミニウム、窒化ホウ素が挙げられる。
例えば、後述するように、透光性部材が蛍光体を含有する場合には、蛍光体がストークスロスに起因する自己発熱を起こし、この熱によって光変換効率を低下させることがある。一方、光反射性部材が、高い熱伝導率を有する場合には、透光性部材中の蛍光体の熱を効率的に放熱することが可能となる。
【００２４】
光反射性部材は、例えば、射出成形、ポッティング成形、樹脂印刷法、トランスファーモールド法、圧縮成形などで成形することができる。
【００２５】
本発明の発光装置には、ツェナーダイオード等の保護素子を搭載してもよい。例えば、保護素子を、光反射性部材に埋設することにより、発光素子からの光が保護素子に吸収されたり、保護素子に遮光されたりすることによる光取り出しの低下を防止することができる。
【００２６】
（遮光性部材１３)
遮光性部材１３は、図１Ａ及び図１Ｂに示すように、発光素子１１間の側面を被覆する光反射性部材１２間に配置される。ここでの光反射性部材間とは、互いに隣接する発光素子間で、発光素子の側面を被覆する光反射性部材を分断して配置されることを意味する。従って、上面側から見て、少なくとも隣接する発光素子の間にのみ配置されていればよいが、隣接する発光素子間から、光反射性部材の端部に向かって延長して配置されていることが好ましい。このような配置によって、一方の発光素子から出射された光が光反射性部材を通過して隣接する発光素子及び／又はそこから出射された光等に干渉することを確実に防止することができる。
【００２７】
遮光性部材１３は、発光素子間において、上面側から見て、直線状に配置されていることが好ましく、発光素子間の中央部に直線状に配置されていることがより好ましい。このような配置によって、発光素子間を被覆する光反射性部材の厚みの均一性を確保することができ、見切り性の良い、良好な輝度分布を有する発光装置とすることができる。
遮光性部材は、断面視において、その幅は略均一であってもよいが、例えばＶ字形のように下が細くなっていてもよい。断面視Ｖ字形状とすることにより、側面方向の光を下方向に閉じ込めることが可能となり、より見切り性を良好にすることができる。断面視Ｖ字形状は、例えば、光反射性部材を分断する際、先端が細くなっているブレード等を使用することにより形成することができる。
幅は、後述する製造方法において、遮光性部材を形成する材料が毛細管現象によって充填されるように設定されることが好ましい。幅は、例えば、平面視で１０〜１００μｍ程度、好ましくは３０〜９０μｍ程度、より好ましくは４０〜７０μｍ程度である。このような幅に設定することにより、隣接する発光素子間での光漏れを確実に防止し、見切り性の良い、良好な輝度分布を確保することができる。特に、隣接する発光素子間で、点灯／消灯の状態となる場合において、消灯された発光素子への、点灯された発光素子からの光の干渉を最小限に止めることができ、消灯された発光素子の微小発光レベルを激減させることができる。
【００２８】
遮光性部材の高さは、発光素子の半導体層の側面の厚み方向の一部又は半導体層の厚み方向の全部に相当する高さ以上であることが好ましく、発光素子の光取り出し面及び／又は光反射性部材と面一又は略面一であることがより好ましい。
あるいは、後述するように、発光素子の光取り出し面に、この面を被覆する透光性部材をさらに備える場合には、遮光性部材は透光性部材と面一又は略面一であることが好ましい。言い換えると、遮光性部材は透光性部材の側面を被覆することが好ましい。
【００２９】
また、発光素子が、後述するように、基材上に接合されている場合には、遮光性部材の下端は、基材表面と一致することが好ましいが、必ずしも基材表面にまで及んでいなくてもよい。加工時に基材及び／又は基材表面に配置される配線等にダメージを与えることを回避するためである。遮光性部材の下端が基材表面に達していない場合は、遮光性部材の下端は、発光素子の下面より下方に配置されていることが好ましい。これにより、隣接する発光素子間での光の干渉を最小限に止めることができる。
さらに、発光素子が基材上に接合され、後述するように、基材と発光素子との間に埋設部材が埋設され、かつ埋設部材が発光素子間にまで及ぶ場合には、遮光性部材の下端は、埋設部材の表面、埋設部材中のいずれに配置されていてもよい。
【００３０】
遮光性部材は、発光素子から出射される光を遮光／吸収することができる材料から形成される。これによって、上述したように、隣接する発光素子間での光漏れを確実に防止し、見切り性の良い、良好な輝度分布を確保することができる。特に、隣接する発光素子間で、点灯／消灯の状態となる場合において、消灯された発光素子への、点灯された発光素子からの光の干渉を最小限に止めることができ、消灯された発光素子の微小発光レベルを激減させることができる。
遮光性部材は、発光装置に載置されている全て又は一部の発光素子間に配置されていればよい。例えば、発光素子複数が一列に整列している場合、隣接する任意の発光素子間に一箇所のみ配置されていてよいし、発光素子が二列に整列して搭載されている場合、列と列の間に配置されていてもよいし、発光素子がマトリクス状に配置される場合、全ての発光素子間に格子状に配置されていてもよい。遮光性部材は、目的、用途に応じて適宜その配置が変更させることができる。
【００３１】
遮光性部材は、シリコーン樹脂、変性シリコーン樹脂、エポキシ樹脂、変性エポキシ樹脂、アクリル樹脂の１種以上を含む樹脂又はハイブリッド樹脂等と、光吸収物質とを用いて形成することができる。光吸収物質としては、黒色系の顔料、カーボンブラック、などが挙げられる。
さらに、遮光性部材は、上記光吸収物質と共に、反射性物質を用いて形成することができる。反射性物質としては、酸化チタン、酸化ケイ素、酸化ジルコニウム、チタン酸カリウム、アルミナ、窒化アルミニウム、窒化ホウ素、ムライトなどが挙げられる。
光吸収物質、反射性物質等の含有量は、用いる光吸収物質、反射性物質の種類等によって適宜調整することができる。例えば、光吸収物質等の含有量を１ｗｔ％以上、反射性物質の含有量を３０ｗｔ％以上とすることが好ましい。
遮光性部材は、光吸収性、光反射性に加え、上述したような放熱性を有する材料を用いてもよい。
【００３２】
遮光性部材は、光反射性部材を形成した後、ブレード、レーザ照射等によって、遮光性部材を配置しようとする部位の光反射性部材を除去し、この除去された部位にモールド法などを利用して充填することによって、形成することができる。
【００３３】
（透光性部材）
発光装置は、さらに、発光素子の上面（光取り出し面）を被覆する透光性部材を備えていることが好ましい（図１Ｂの１８参照）。透光性部材は、発光素子から出射される光を透過させ、その光を外部に放出することが可能な部材である。
透光性部材は、発光素子から出射された光の全てを取り出すために、発光素子の上面の全部を透光性部材で被覆することが好ましい。ただし、透光性部材が発光素子よりも大きくなるほど、そこから取り出される光は、輝度が低下することがある。従って、発光素子を被覆する透光性部材は、発光素子同等の大きさ以上であるが、できる限り発光素子と同等の大きさであることが好ましい。これにより、発光装置のより一層の小型化が可能となることに加え、より一層高い輝度が得られる。
発光素子よりも大きい透光性部材で複数の発光素子を個々に被覆する場合、透光性部材間距離は、透光性部材自体のサイズ（例えば一辺の長さ）よりも短いものが好ましく、例えば、透光性部材自体のサイズの２０％以下であることがより好ましい。このように透光性部材同士を近接して配置させることにより、発光ムラの少ない発光品位の高い面光源の発光装置とすることができる。
【００３４】
透光性部材は、複数の発光素子を個々に被覆するものであってもよいし、複数の発光素子を一体的に被覆するものであってもよい。
複数の発光素子を個々に被覆する透光性部材は、その側面が、光反射性部材に被覆されていることが好ましい。この場合、複数の透光性部材間の光反射性部材間に、遮光性部材が配置されていることが好ましい。
複数の発光素子を一体的に被覆する透光性部材は、その側面は必ずしも光反射性部材及び／又は遮光性部材で被覆されていなくてもよい。
なかでも、複数の発光素子を個々に被覆する透光性部材の側面が、光反射性部材に被覆され、透光性部材間の光反射性部材間に、遮光性部材が配置されていることがより好ましい。
【００３５】
例えば、（１）複数の発光素子を基材上に接合した後、複数の透光性部材を、それぞれ、複数の発光素子の上面に配置し、その後、光反射性部材を被覆し、さらに光反射性部材間に遮光性部材を形成してもよいし、（２）複数の発光素子を基材上に接合した後、１つの透光性部材を複数の発光素子の上面に配置し、その後、ブレード、レーザ照射等にて発光素子間において透光性部材を切断し、光反射性部材を被覆し、さらに光反射性部材間に遮光性部材を形成してもよいし、（３）複数の発光素子を基材上に接合した後、光反射性部材を発光素子の側面に被覆し、１つの透光性部材を複数の発光素子の光取り出し面に配置し、その後、ブレード、レーザ照射等で透光性部材及び光反射性部材を切断し、遮光性部材を形成してもよいし、（４）複数の発光素子を基材上に接合した後、光反射性部材を発光素子の側面に被覆し、さらに、遮光性部材を形成し、その後、１つの透光性部材を複数の発光素子の光取り出し面に配置してもよい。
【００３６】
透光性部材の側面が光反射性部材及び／又は遮光性部材で被覆されている場合、透光性部材は、光反射性部材及び／又は遮光性部材と面一又は略面一であることが好ましい。特に、透光性部材は、光反射性部材及び遮光性部材と面一であることがより好ましい。これにより、透光性部材の側面から発する光同士の干渉をより確実に防止することができる。あるいは、隣接する消灯した発光素子に対する光の干渉をより確実に防止することができる。
【００３７】
透光性部材の厚みは、特に限定されるものではなく、例えば、５０〜３００μｍ程度とすることができる。
透光性部材は、上面が凹凸形状、曲面、レンズ状の種々の形状とすることができ、下面は、発光素子の光取り出し面に平行な面とすることが好ましい。
【００３８】
透光性部材を構成する材料は限定されず、例えば、樹脂、ガラス、無機物、蛍光体の単結晶、多結晶又は蛍光体粉末の焼結体等の蛍光体インゴットから切り出したもの、樹脂、ガラス又は無機物等に蛍光体粉末を混合して焼結したものなどが挙げられる。透明度が高いほど、光反射性部材との界面において光を反射させやすいため、輝度を向上させることが可能となる。
【００３９】
青色発光素子に組み合わせて白色発光させる蛍光体としては、例えば、ＹＡＧ（Yttrium Aluminum Garnet）系、ＢＯＳ（Barium ortho-Silicate）系等が挙げられる。このような蛍光体を透光性部材に含有される場合、蛍光体の濃度を、例えば５〜５０％程度とすることが好ましい。
【００４０】
透光性部材は、発光素子の上面（光取り出し面）を被覆するように接合されている。接合は、例えば、圧着、焼結、エポキシ又はシリコーンのような周知の接着剤による接着、高屈折率の有機接着剤による接着、低融点ガラスによる接着などで行うことができる。
例えば、透光性部材が蛍光体を含有する場合、青色発光素子とこの透光性部材とを接合する接着剤に赤色蛍光体を含有させることにより、ＪＩＳ規格に沿う、電球色に発光する発光装置とすることができる。
【００４１】
（基材１４）
発光装置は、図１Ａ及び図１Ｂに示したように、発光素子１１が、基材１４に載置されている。
基材は、当該分野で公知であり、発光素子等が実装されるために使用される基板のいずれをも用いることができる。例えば、ガラスエポキシ、樹脂、セラミックスなどの絶縁性部材、絶縁部材を形成した金属部材等によって形成された基板が挙げられる。なかでも、耐熱性及び耐候性の高いセラミックスを利用したものが好ましい。セラミックス材料としては、アルミナ、窒化アルミニウム、ムライトなどが挙げられ、これらのセラミックス材料に、例えば、ＢＴレジン、ガラスエポキシ、エポキシ系樹脂等の絶縁性材料を組み合わせてもよい。
基材は、通常、その表面に発光素子と接続される配線パターン（図１Ａ等、１５参照）を有している。
なお、発光装置は、基材の配線パターン、その電力供給制御等によって、複数の発光素子は独立して駆動される。このような独立した点滅制御は、当該分野で公知であり、通常使用される方法のいずれをも利用することができる。
【００４２】
（埋設部材１９）
上述したように、発光素子が基材上に接合される場合、基材と発光素子との間に埋設部材が配置されていることが好ましい（図７中、１９参照）。基材と発光素子との間に埋設部材を配置することにより、発光素子と基材の熱膨張率の差による応力を吸収したり、放熱性を高めたりすることができる。
埋設部材は、発光素子の直下にのみ配置されていてもよいし、発光素子の直下から、発光素子間に及んでいてもよく、発光素子の側面の一部に接触していてもよい。埋設部材は、例えば、最も肉厚の部位において、数μｍ〜数百μｍ程度の膜厚とすることができる。
【００４３】
埋設部材は、いわゆるアンダーフィルと呼称されるものであり、通常、樹脂を含んで構成される。含有される樹脂は、光反射性樹脂であることが好ましい。光反射性樹脂を用いることで、発光素子の下方向へ出射される光を反射することができ、光束を高めることができる。
埋設部材は、光反射性部材よりも低弾性、低線膨張の材料を用いる場合、発光素子と基材との接合部における樹脂膨張収縮応力の緩和が可能となり、電気的な接合信頼性が向上するため好ましい。また、光反射性部材に機械強度の高い材料を使用し、埋設部材が外部に露出しないよう、光反射性部材で埋設部材を完全に覆う構成とすることが好ましい。これにより、発光素子および埋設部材部分の外的応力に対する耐久性を確保できる。埋設部材と光反射性部材とを異なる材料とする場合は、光反射性部材を充填する前に埋設部材を硬化させておくことが好ましい。これにより、互いの樹脂が混合することを防止でき、互いの樹脂の性能を損なうことがない。
【００４４】
埋設部材としては、例えば、シリコーン樹脂組成物、変性シリコーン樹脂組成物、エポキシ樹脂組成物、変性エポキシ樹脂組成物、アクリル樹脂組成物等、シリコーン樹脂、エポキシ樹脂、ユリア樹脂、フッ素樹脂及びこれらの樹脂を少なくとも１種以上含むハイブリッド樹脂等をベースポリマーとして含有する樹脂と、反射性物質とを用いて形成することができる。なかでも、シリコーン樹脂、エポキシ樹脂等をベースポリマーとして含有する樹脂が好ましい。ここで、ベースポリマーとは、埋設部材を構成する材料中、最も含有重量が多い樹脂を意味する。
【００４５】
反射性物質としては、酸化チタン、酸化ケイ素、酸化ジルコニウム、チタン酸カリウム、アルミナ、窒化アルミニウム、窒化ホウ素、ムライトなどが挙げられる。これにより、効率よく光を反射させることができる。
埋設部材を構成する材料は単独で又は２種以上を組み合わせて用いてもよい。これにより、光の反射率及び／又は樹脂の線膨張係数を調整することが可能となる。
【００４６】
（発光装置の製造方法）
まず、図２Ａ及び図２Ｂに示すように、表面に配線パターン１５を有する基材１４を準備する。
基材１４の配線パターン１５上に、複数の発光素子１１を整列し、電気的接続をとる。
次に、発光素子１１の上面に透光性部材１８を接合し、発光素子１１および透光性部材１８の側面を光反射性部材１２で被覆する。光反射性部材１２の上面は、透光性部材１８の光取り出し面と略面一とする。
その後、ブレード等を利用して、発光素子１１間の光反射性部材１２を一端から他端に渡って切断し、発光素子１１間に溝１６を形成する。ここでの切断は、基材１４の表面と一致する深さで行ってもよいが、必ずしも基材１４の表面まで達しなくてもよい。
【００４７】
次いで、図３に示すように、光反射性部材１２における複数の溝１６の一端側及び他端側をそれぞれ一体的に囲う枠１７を形成する。ここでの枠１７は、例えば光反射性樹脂と同様の樹脂を用いて形成することができる。
【００４８】
その後、図４Ａ及び図４Ｂに示すように、枠１７内に、遮光性樹脂を充填する。ここで充填された遮光性樹脂は、毛細管現象によって、光反射性部材１２に形成された溝１６内に充填される。これによって、遮光性部材１３を形成することができる。遮光性樹脂の粘度は、溝１６内の深さ方向及び幅方向の全てを埋設できるように調整することが好ましい。
【００４９】
続いて、必要に応じて、図４Ａ及び図４Ｂに示すように、枠１７、溝１６外の遮光性樹脂を除去する。ここでの除去は、例えば、エッチングによって行うことができる。遮光性部材１３の上面は、光反射性部材１２の上面及び透光性部材１８の光取り出し面と略面一とする。
【００５０】
以下に、本発明の発光装置の実施形態を具体的に説明する。
実施形態１
この実施形態１の発光装置は、図１Ａ及びＢに示したように、配線パターン１５を表面に有する基材１４上に行方向に整列し、接続された５つの発光素子１１と、光反射性部材１２と、光反射性部材１２間に配置される遮光性部材１３とを備える。
【００５１】
基材１４は、熱電導率が１７０Ｗ／ｍ・Ｋ程度の窒化アルミニウム板材の表面に、チタン、白金、金が蒸着された配線パターンを有している。
発光素子１は、１．０ｍｍ×１．０ｍｍ×０．１１ｍｍ（厚み）のサイズを有しており、サファイア基板上に半導体層を積層させ、同一面側に一対の電極が形成されたものである。
これら発光素子１１は、金からなるバンプによって、基材１４上にフリップチップ実装されている。従って、サファイア基板を光取り出し面としている。
発光素子１１の上面は、ＹＡＧとアルミナとを混合して焼結することで形成された板状の透光性部材１８（ＹＡＧ蛍光体を５〜１５重量％含有、サイズ：１．１ｍｍ×１．１ｍｍ×０．１８ｍｍ（厚み））によって、シリコーン樹脂からなる接着剤による熱硬化を利用して被覆されている。
発光素子１１間の距離は、０．３ｍｍ程度、透光性部材１８間の距離は０．２ｍｍ程度である。
【００５２】
光反射性部材１２は、発光素子１１と、発光素子１１の上面に被覆された透光性部材１８との側面を含む、これらの外周を被覆している。
光反射性部材１２は、シリコーン樹脂に酸化チタンが３０ｗｔ％含有されており、熱伝導率が０．２Ｗ／ｍ・Ｋ程度である。
発光素子間の光反射性部材１２の遮光性部材１３までの幅は平面視で７０μｍ程度である。
光反射性部材１２は、発光素子１１の上面上の透光性部材１８と面一であり、最も厚い部位の肉厚が０．３ｍｍ程度である。
【００５３】
光反射性部材１２の間に配置された遮光性部材１３は、シリコーン樹脂にカーボンブラック５ｗｔ％、酸化チタン３０ｗｔ％が混合されて、形成されている。
遮光性部材１３は、光反射性部材１２の対向する辺の一方側から他方側に形成されており、その幅は平面視で６０μｍ程度である。遮光性部材１３は、その底面が基材１４の表面近傍に及んでおり、深さは０．２８ｍｍ程度である。
遮光性部材１３は、発光素子１１の上面上の透光性部材１８及び光反射性部材１２と面一である。
【００５４】
（輝度評価）
このような発光装置１０を用いて、輝度分布を測定した。
比較のために、発光装置１０において、遮光性部材１３を配置しない以外は同様の構成の発光装置を作成した。
【００５５】
輝度分布の測定は、図５に示すように、消灯した２つの発光素子１１ｂと、消灯した２つの発光素子１１ｂに挟まれた１つの点灯した発光素子１１ａと、隣接した２つの点灯した発光素子とした発光装置１０及び比較のための発光装置を用いて、ProMetric（ＰＭ−１４２３Ｆ−１）を使用して相対的に比較した。
比較のための発光装置では、隣接した２つの点灯した発光素子の輝度を１００とした場合、２つの点灯した発光素子間にはさまれて消灯した発光素子の微小発光レベルは、０．６であった。
一方、この実施形態の発光装置１０での消灯した発光素子の微小発光レベルは、比較のための発光装置の約５０％であった。
このように、本実施形態の発光装置は、発光部位と非発光部位との輝度差がより急峻となり、見切り性の良い、良好な輝度分布を有する発光装置であることが確認された。
【００５６】
実施形態２
この実施形態の発光装置２０は、図６に示すように、発光素子１１の上面に透光性部材が形成されておらず、発光素子のサファイア基板表面を光取り出し面とし、この光取り出し面が、光反射性部材１２、遮光性部材１３と面一である以外は、実質的に実施形態１の発光装置１０と同様の構成である。
このような発光装置１０においても、実施形態１と同様に、見切り性の良い、良好な輝度分布を有する発光装置とすることができる。
【００５７】
実施形態３
この実施形態の発光装置３０は、図７に示すように、発光素子１１と基材１４との間に埋設部材１９が形成されており、埋設部材１９の表面に略一致する位置に溝２３の下端を配置させている以外は、実質的に実施形態１の発光装置１０と同様の構成である。
埋設部材１９は、シリコーン樹脂に酸化チタン３０ｗｔ％を加えて形成されている。埋設部材１９は、発光素子１１をバンプでフリップチップ実装し、発光素子１１の光取り出し面上に透光性部材が形成された後にポッティングにより形成される。
このような発光装置１０においても、実施形態１と同様に、見切り性の良い、良好な輝度分布を有する発光装置とすることができる。
【００５８】
実施形態４
この実施形態の発光装置４０は、図８に示すように、発光素子１１間の一部にのみ遮光性部材１３が形成されている以外は、実質的に実施形態１の発光装置１０と同様の構成である。
【００５９】
実施形態５
この実施形態の発光装置５０は、図９に示すように、発光素子１１が５行×２列で配置されており、発光素子１１間かつ列間において遮光性部材５３が形成され、同じ列内での発光素子１１間に遮光性部材５３が配置されていない点、このような発光素子１１の配置に伴って、基材５４が表面に有する配線パターン５５のパターン形状及び光反射性部材５２が変更されている点以外は、実質的に実施形態１の発光装置１０と同様の構成である。
【００６０】
このような形状の遮光性部材５３は、図４Ａとは異なり、発光装置５０における光反射性部材５２の左右（列方向）に枠が形成され、この枠を利用して、遮光性部材を毛細管現象によって、光反射性部材５２に形成された溝内に充填することができる。
【産業上の利用可能性】
【００６１】
本発明の発光装置は、照明用光源、各種インジケーター用光源、車載用光源、ディスプレイ用光源、液晶のバックライト用光源、信号機、車載部品、看板用チャンネルレターなど、種々の光源に使用することができる。
【符号の説明】
【００６２】
１０、２０、３０、４０、５０  発光装置
１１、１１ａ、１１ｂ  発光素子
１２、５２  光反射性部材
１３、２３、５３  遮光性部材
１４、５４  基材
１５、５５  配線パターン
１６  溝
１７  枠
１８  透光性部材
１９  埋設部材
【図１Ａ】
2014236175.tif 000003
【図１Ｂ】
2014236175.tif 000004
【図２Ａ】
2014236175.tif 000005
【図２Ｂ】
2014236175.tif 000006
【図３】
2014236175.tif 000007
【図４Ａ】
2014236175.tif 000008
【図４Ｂ】
2014236175.tif 000009
【図５】
2014236175.tif 000010
【図６】
2014236175.tif 000011
【図７】
2014236175.tif 000012
【図８】
2014236175.tif 000013
【図９】
2014236175.tif 000014